(57)【要約】【課題】    安価にして、簡易な構成で、一度取り付けたら破断せずには取り外しができない構成としたため、使い回しなどの不正な取り扱いを防止可能な重複使用防止用のリストバンドを提供することを課題とする。【解決手段】  基材端部近傍に設けられた切込み線からなる破断部に粘着層からなる貼着部を重ね合わせて手首などの局部に巻回固定したリストバンドであって、このリストバンドを取り外すために加えられた力は、強度が最も弱い破断部に作用して取り外しが可能であることに着目したもので、基材の表面に所望の情報を印字可能な印字領域部とその左右に延伸する手首などの局部に巻き付け可能な巻き付け部と、基材の裏面端部近傍の一方に貼着固定可能な粘着層と台紙とからなる貼着シールを有するリストバンドであって、上記リストバンドの端部近傍の一方には、このリストバンドを破断して手首などの局部から取り外し可能な切込み線などからなる破断部を有することを特徴とする。  【選択図】図１
2007229000.tif 000002
【特許請求の範囲】
【請求項１】
基材の表面に所望の情報を印字可能な印字領域部とその左右に延伸する手首などの局部に巻き付け可能な巻き付け部と、基材の裏面端部近傍の一方に貼着固定可能な粘着層と台紙とからなる貼着シールとを有するリストバンドであって、
前記リストバンドの端部近傍の一方には、このリストバンドを破断して手首などの局部から取り外し可能な切込み線などからなる破断部を有することを特徴とする重複使用防止用のリストバンド。
【請求項２】
前記破断部を形成する切込み線は、渦巻き形状をしていることを特徴とする請求項１に記載の重複使用防止用のリストバンド。
【請求項３】
前記破断部を形成する切込み線は、複数本からなり互いに交差していることを特徴とする請求項１記載の重複使用防止用のリストバンド。
【請求項４】
前記リストバンドの端部近傍の一方に設けた前記破断部の他方の端部近傍には第２の破断部を有することを特徴とする請求項１に記載の重複使用防止用のリストバンド。
【請求項５】
前記リストバンドを手首などの局部に巻き付けたときに、前記破断部と前記粘着層とが重なるように巻き付け可能であることを特徴とする請求項１に記載の重複使用防止用のリストバンド。
【発明の詳細な説明】
【技術分野】
【０００１】
本発明は重複使用防止用のリストバンドにかかるもので、とくに医療過誤を防止したり、アミューズメントパーク等で利用する遊戯券等を使い回して利用するなどの不正な取り扱いを防止できる重複使用防止用のリストバンドに関するものである。
【背景技術】
【０００２】
近年、患者の取り違い等による医療過誤を防止するために患者を容易で確実に特定して、適正な治療を施すことが可能な識別用情報を有する識別用リストバンドを利用する病院が増えている。このリストバンドは、患者の識別情報を視認できるように、印字可能な帯状のラベルが用いられ、これを患者の手首や足首等の局部（装着部位）に巻回して、その局部の大きさにあわせた位置に設けられた固定用の留め穴にクリップを通して固定する。（特許文献１）  
このリストバンドは、入院してから退院するまで基本的に取り外すことを考慮していないため、皮膚の弱い入院患者や長期入院患者では、体質面や衛生面の上から、新たなリストバンドへの付け替えを要求する場合がある。
そして、このリストバンドを固定する前記クリップには、何度でも取り外し可能なものや一度取り付けたら破壊しない限り、取り外しができないものが利用されてきた。
【０００３】
何度でも取り外し可能なクリップを利用したリストバンドでは、取り外した際に紛失する可能性を有するとともに、集団での入浴時などに他の患者のものと取り違えて装着されるという問題がある。
【０００４】
また、このリストバンドを固定するクリップによって形成される段差によって患者が肌の違和感を覚えたり、人によって大きさが異なる手首や足首などの局部に固定する前記留め穴が所定位置にしか形成できないために適正位置で留められないという問題がある。
【０００５】
また、このリストバンドは、リストバンド本体とクリップという２部材からなる構成であるために製造コストが高くなるという問題がある。
【０００６】
また、更には、一度取り付けたら破壊しない限り取り外しができないクリップを利用したリストバンドでは、この取り外しに基材を切断して取り外す手法が取られるが、この基材の強靭さのために用いる、はさみやカッター等の取り扱いを間違えれば局部に傷をつけることがあるという問題がある。
【０００７】
また、このリストバンドに所望の情報を印字してアミューズメントパークの入場券や遊戯券、テーマパークの入場券、スキー場のリフト券等として利用する場合には、何度でも取り外しが可能なクリップを用いたリストバンドでは、使い回し等の不正な取り扱いが行われる可能性があるという問題がある。
【０００８】
【特許文献１】特開２００５−０８０８５１号公報
【発明の開示】
【発明が解決しようとする課題】
【０００９】
本発明は以上のような諸問題にかんがみなされたもので、安価にして、簡易な構成で、一度取り付けたら破断せずには取り外しができない構成としたため、使い回しなどの不正な取り扱いを防止可能な重複使用防止用のリストバンドを提供することを課題とする。
【００１０】
また、本発明は、一度取り付けたら破断せずには取り外しができない構成としたため、医療現場における患者の取り違いによる過誤診療を防止できる重複使用防止用のリストバンドを提供することを課題とする。
【００１１】
また、本発明は、リストバンドを固定する部材にクリップを使用せずに固定可能としたために、肌への違和感の無い重複使用防止用のリストバンドを提供することを課題とする。
【００１２】
また、本発明は、基材裏面の端部近傍の一方に設けた粘着層によって所望の位置でリストバンドを貼着固定できるようにしたため、人によって異なる大きさの手首や足首等の局部にも適正な位置で貼着固定可能な重複使用防止用のリストバンドを提供することを課題とする。
【００１３】
また、本発明は、リストバンドの取り外しにはさみやカッター等の用具を用いずに、安全で容易に取り外しが可能な重複使用防止用のリストバンドを提供することを課題とする。
【課題を解決するための手段】
【００１４】
すなわち本発明は、基材端部近傍に設けられた切込み線からなる破断部に粘着層からなる貼着部を重ね合わせて手首などの局部に巻回固定したリストバンドであって、このリストバンドを取り外すために加えられた力は、強度が最も弱い破断部に作用して取り外しが可能であることに着目したもので、
第一の発明は、基材の表面に所望の情報を印字可能な印字領域部とその左右に延伸する手首などの局部に巻き付け可能な巻き付け部と、基材の裏面端部近傍の一方に貼着固定可能な粘着層と台紙とからなる貼着シールを有するリストバンドであって、
上記リストバンドの端部近傍の一方には、このリストバンドを破断して手首などの局部から取り外し可能な切込み線などからなる破断部を有することを特徴とする重複使用防止用のリストバンドである。
【００１５】
上記破断部を形成する切込み線は、渦巻き形状とすることができる。
【００１６】
上記破断部を形成する切込み線は、複数本からなり互いに交差していることができる。
【００１７】
上記リストバンドの一方の端部近傍に設けた上記破断部の他方の端部近傍には第２の破断部を設けることができる。
【００１８】
上記リストバンドを手首などの局部に巻き付けたときに、上記破断部と上記粘着層とが重なるように巻き付けることができる。    
【発明の効果】
【００１９】
本発明による重複使用防止用のリストバンドにおいては、安価にして、簡易な構成で、一度取り付けたら破断せずには取り外しができない構成としたため、使い回しなどの不正な取り扱いを防止できる。
また、本発明は、一度取り付けたら破断せずには取り外しができない構成としたため、医療現場における患者の取り違いによる過誤診療を防止できる。
【発明を実施するための最良の形態】
【００２０】
本発明は、基材端部近傍に設けられた切込み線等からなる破断部に、基材端部近傍裏面に形成された粘着層からなる貼着部を重ね合わせて手首などの局部にフィットするように巻回固定したリストバンドであって、このリストバンドを取り外すために加えられた力は、強度が最も弱い破断部に作用して取り外されることから、使い回しなどの不正な使用のために、再び手首などに巻回されることのない重複使用防止用のリストバンドを実現した。
また、前述の構成から医療現場における患者の取り違いによる過誤診療を防止できる重複使用防止用のリストバンドを実現した。
【実施例】
【００２１】
つぎに本発明の実施例１による重複使用防止用のリストバンド１を図１乃至図３に基づき説明する。    
【００２２】
図１は、本発明の実施例１による重複使用防止用のリストバンド１を説明するための図であって、図２は、同、図１のＩＩ―ＩＩの線断面図を説明するための図であって、図３は、本発明の実施例１による人体の手首などの局部に巻回したときのＩＩ―ＩＩの線断面図である。
【００２３】
本発明の重複使用防止用のリストバンド１は、図１に示すように、印字領域部２とその左右に延伸する巻き付け部３と切込み線４からなる破断部５と、を有する。
そして図２に示すように、本発明の重複使用防止用のリストバンド１を構成する基材７の裏面端部近傍の一方には、人体の手首などの局部に巻回して適正な位置で貼着固定することが可能な貼着シール６を有する。
【００２４】
また、この重複使用防止用のリストバンド１は、このリストバンド１の使用目的にあった情報を有することから、前記印字領域部２は前記巻き付け部３の部分よりも幅方向に広くこれを形成している。
【００２５】
また、前記巻き付け部３には、その用途によって、事前に取り決めた色彩をプレ印刷によって施すこともできる。例えば医療過誤を防止することを目的としたものでは、患者の血液型によって色を変えて識別を容易にしたり、アミューズメントパークでの使用の場合には、入園券や遊園券における種別（終日券や夜間用券等）によって色を変えることができる。
【００２６】
また、前記破断部５は、２本の切込み線４である直線を交差して設けているが、この破断部５は種々の形状の切込み線４からこれを形成することができる。
【００２７】
また、この切込み線４は、前記基材７を貫通して設けているが、基材７の表面（上面）から半貫通したものでも、基材７の裏面から半貫通したものでも良く、本発明のリストバンド１を利用し終えて、取り外そうとしたときに、この破断部５から破断されて取り外しが行われるものであれば良い。
【００２８】
また、この基材７は、強度、耐熱性、耐水性に優れたポリエステル（ＰＥＴ）や柔らかくて強度（耐久性）を有するポリエチレン（ＰＥ）あるいはその共重合体などの合成樹脂製のフィルム等、本発明のリストバンド１の種々の使用目的に合わせた強度等を有するものであれば選択可能である。
【００２９】
また、この基材７の裏面端部近傍に設けられた貼着シール６は、粘着層８と台紙９とからなり、この粘着層８は、強粘性のものが採用されるが、この粘着度は、手首などの局部に取り付けられたリストバンド１を取り外す際に加わる力（応力）によって張り合わせ部分からきれいに剥がれるものではなく、前記破断部５を分離切断（破壊）して取り外される粘着度を有するものであればよい。
【００３０】
また、前記貼着シール６は、前記基材７の裏面端部近傍のどちらにあってもよいが、同一端部近傍の表裏面に破断部５と貼着シール６とを有するものと、基材７の一方の端部近傍の表面に破断部５を有し、他方の端部近傍の裏面に貼着シール６を有するものとでは、腕などの局部に巻回して貼着固定した場合に、前記貼着シール６における前記粘着層８は基材７の破断部５の上面あるいは下面のどちらかに貼着固定される構成となる。
【００３１】
また、前記台紙９には、シリコンなどの離系剤（剥離剤）が塗布されて前記粘着層８と分離可能とできる。
【００３２】
また、前記粘着層８の占める大きさは、装着部位である手首などの局部の大きさを違えるどんな人に貼着した場合でも、装着時にも安定した強度を確保可能な前記破断部５を覆う重ねあわせができる大きさを有して形成されることができる。
【００３３】
また、この基材７上面（表面）の前記印字領域部２には、このリストバンド１の使用目的によって個人識別用の所望の印字情報１０あるいは入場券や遊園券あるいはリフト券等の種々の券種にあった所望の印字情報１０を印字可能として、個人ないし患者を特定したり、種々の券種を特定可能とする。
【００３４】
医療現場における過誤防止を目的とした使用の場合の前記印字領域部２には、患者を特定するための個人識別用の印字情報１０であるＩＤ番号、性別、名称、生年月日、血液型、担当医の氏名や、バーコード、二次元コードなどの情報をバーコードプリンターなどの印字装置によって印字可能として、視認あるいはスキャナ等による容易で確実に患者を特定して、患者の取り違いなどに伴う過誤診療を防止するための諸情報とすることができる。
また、アミューズメントパークでの入場券や遊園券として使用する場合やスキー場におけるリフト券として使用する場合の印字情報１０は、それぞれの目的にあった種々の印字情報１０を印字装置によって印字可能として、園内やスキー場での券種を特定するための諸情報とすることができる。    
【００３５】
次に、図３に示すように、こうした構成の前記重複使用防止用のリストバンド１を患者の手首や足首などの局部（装着部位）に貼着固定するには、前記リストバンド１の裏面端部近傍に粘着層８を有する巻き付け部３を、その装着部位である手首などの局部に巻回し、他方の巻き付け部３の表面（上面）に重ねあわせて、このリストバンド１を取り付けられる患者、あるいはアミューズメントパーク、テーマパークなどでの入園者あるいはスキー場におけるスキー客などが最もフィット感を有する適正な位置を選択して貼着固定することができる。
【００３６】
そして、この人体の局部に巻回されたリストバンド１を取り外すときには、このリストバンド１の端部近傍裏面に形成された粘着層８よりも、外側に形成された縁端部である取り外し部１１を把持し、巻きつけ方向とは逆方向の力（応力）を加えることによって、この基材７におけるもっとも弱い部分である破断部５から破断（破壊）されて取り外しを行うことができる。
そして、この取り外されたリストバンド１を再度利用しようとしても、破断されているため、再利用ができないものとなる。
【００３７】
而して、安価にして、簡易な構成で、一度取り付けたら破断せずには取り外しができない構成としたため、アミューズメントパークやテーマパークにおける入場券や遊園券、あるいはスキー場におけるリフト券等の使い回しなどの不正な取り扱いを防止可能となる。
【００３８】
また、医療現場における識別情報を有する本発明のリストバンド１は、一度取り付けたら破断せずには取り外しができない構成としたため、誤って他の患者のリストバンド１を装着することがなく、また、前記印字領域１０に印字された識別情報によって患者を容易に識別可能とできることから患者の取り違いによる過誤診療を防止できる。
つぎに本発明の実施例２による重複使用防止用のリストバンド１を図４乃至図６に基づき説明する。
【００３９】
図４は、本発明の実施例２による重複使用防止用のリストバンド２０を説明するための図であって、を説明するための図であって、図６は、本発明の実施例２による人体の手首などの局部に巻回したときのＩＩＩ―ＩＩＩの線断面図である。
【００４０】
前述した実施例１と同一付番した部分の説明はこれを省略し、新たな付番における説明だけを行うものとする。
【００４１】
図４は、図１における破断部を両端部近傍に有するものであって、本発明の課題である取り外し時の破断を更に容易で確実なものとすることができる。
本発明の実施例２による重複使用防止用のリストバンド２０には、前述した図１に設けられた破断部５の他に、第２の破断部１２を有する。
この破断部１２は、第１の実施例で説明したと同様、切込み線４からこれを形成し、その形状は渦巻き形状を有する。
この形状は、取り外しの時に働く応力によって破断可能なものであれば種々のものを選択可能である。
【００４２】
図５は、本発明の実施例２による重複使用防止用のリストバンド２０のＩＩＩ―ＩＩＩの線断面図を説明するための図であって、前記第２の破断部１２を形成する切込み線４は、前記基材７を貫通したものであり、そのほかに前記基材７の表裏面から半貫通した切込み線４を採用可能である。
【００４３】
図６は、本発明の実施例２による人体の手首などの局部に巻回したときのＩＩＩ―ＩＩＩの線断面図であって、これは第２の破断部１２の基材表面（上面）に、もうひとつの破断部５を粘着層８を介して重ねあわせて貼着固定したものであるため、手首などの局部に装着して利用し終わった後の取り外しが一つの破断部を有するものよりも容易で確実にこのリストバンド２０を破断することが可能なものとなる。
また、前記粘着層８の占める大きさは、装着部位である手首などの局部の大きさを違えるどんな人に貼着した場合でも、装着時の安定した強度を確保できる前記破断部５と前記第２の破断部１２とを覆う重ねあわせができる大きさを有して形成されることができる。
【図面の簡単な説明】
【００４４】
【図１】本発明の実施例１による重複使用防止用のリストバンド１の平面図である。
【図２】同、図１のＩＩ−ＩＩ線断面図である。
【図３】同、人体の手首などの局部に巻回したときのＩＩ−ＩＩ線断面図である。
【図４】本発明の実施例２による重複使用防止用のリストバンド１の平面図である。
【図５】同、図４のＩＩＩ―ＩＩＩ線断面図である。
【図６】同、人体の手首などの局部に巻回したときのＩＩＩ―ＩＩＩ線断面図である。
【符号の説明】
【００４５】
１  リストバンド
２  印字領域部
３  巻き付け部
４  切込み線
５  破断部
６  貼着シール
７  基材
８  粘着層
９  台紙
１０  印字情報
１１  取り外し部
１２  第２の破断部
【図１】
2007229000.tif 000003
【図２】
2007229000.tif 000004
【図３】
2007229000.tif 000005
【図４】
2007229000.tif 000006
【図５】
2007229000.tif 000007
【図６】
2007229000.tif 000008